(57)【要約】【課題】インテリジェントプラットフォームは、インテリジェント携帯型デバイスまたはインテリジェントコアと統合されることにより、パッド型コンピューティングデバイス、タブレット型コンピューティングデバイス、ネットブック型コンピュータおよびノートブック型コンピュータのいずれかとして機能し得るダイナミックコンピュータを提供する。【解決手段】統合されたデバイスの動作は、接続されたインテリジェントコアのＣＰＵアーキテクチャおよびそのインテリジェントコアにインストールされたオペレーティングシステムによって決定される。インテリジェントプラットフォームは、筐体、およびインテリジェントコアを収容するべくディスプレイ後方に位置するコアスロットを含む。コアコネクタは、コアスロットの内壁に設けられ、挿入されたインテリジェントコアの互換性のあるコネクタと相互接続する。制御部は継続的に、コネクタによって伝送される信号を介してインテリジェントコアと通信し、インテリジェントコアから受信したタッチセンサー式ディスプレイ上に表示する画像を更新し、タッチセンサー式ディスプレイのタッチパネルからタッチ入力されるコマンドをインテリジェントコアに送信する。インテリジェントプラットフォームのバッテリーは、インテリジェントコアにバックアップ電力を提供する。【選択図】図１
2013536613.tif 000002
【特許請求の範囲】
【請求項１】
携帯型コンピューティングデバイスを収容するコンピューティングプラットフォームであり、
前記携帯型コンピューティングデバイスを受容するスロットを有する筐体と、
前記筐体内に設けられ、表示デバイス上の画像データの表示を制御する表示制御部と、
電力インタフェース並びに、データインタフェースおよび動画インタフェースの少なくとも１つを含む、複数のインタフェースと、
データを記憶する大容量記憶装置と、
前記スロットの内壁に設けられ、前記携帯型コンピューティングデバイスの対応する電気コネクタと機械的に嵌め合い、かつ電気的に接続するよう位置づけられた、前記複数のインタフェースの少なくとも１つの信号を伝送する電気コネクタと、
前記表示制御部、前記複数のインタフェースおよび前記大容量記憶装置と結合され、前記表示制御部、前記複数のインタフェースおよび前記大容量記憶装置の動作を制御する制御部と
を備え、
前記携帯型コンピューティングデバイスが前記コンピューティングプラットフォームに接続されたとき、前記携帯型コンピューティングデバイスは前記制御部を制御し、前記コンピューティングプラットフォームと統合されたコンピューティングデバイスを形成する、コンピューティングプラットフォーム。
【請求項２】
前記表示デバイスが前記コンピューティングプラットフォームと一体化された、請求項１に記載のコンピューティングプラットフォーム。
【請求項３】
前記表示デバイスは前記コンピューティングプラットフォームの外部デバイスである、請求項１に記載のコンピューティングプラットフォーム。
【請求項４】
前記複数のインタフェースの前記信号は、前記電気コネクタで伝送される、請求項１に記載のコンピューティングプラットフォーム。
【請求項５】
前記電力インタフェースを介し前記携帯型コンピューティングデバイスに給電する電力供給回路およびバッテリーのいずれかをさらに備える、請求項１に記載のコンピューティングプラットフォーム。
【請求項６】
前記携帯型コンピューティングデバイスは、携帯電話、携帯端末、メディアプレーヤ、ゲームプレーヤ、並びに中央演算処理装置およびグラフィックス処理装置のいずれかをハンドセットのサイズの交換可能な筐体内に有する回路基板のいずれかを含む、請求項１に記載のコンピューティングプラットフォーム。
【請求項７】
前記回路基板は、アプリケーションプログラムを実行し、デジタル動画を再生する前記中央演算処理装置およびグラフィックス処理装置のいずれかに対応するオンボードメモリをさらに含む、請求項６に記載のコンピューティングプラットフォーム。
【請求項８】
前記コンピューティングプラットフォームと外部デバイスとの間の前記複数のインタフェースの少なくとも１つの信号を伝送する外部コネクタをさらに備える、請求項１に記載のコンピューティングプラットフォーム。
【請求項９】
データハブモジュール、並びに、メモリモジュール、画像キャプチャモジュール、動画キャプチャモジュール、有線ネットワークモジュール、無線ネットワークモジュール、ヘッドフォン、マイク、およびスピーカからなる群より選択される１以上の周辺機器モジュールをさらに備える、請求項１に記載のコンピューティングプラットフォーム。
【請求項１０】
前記統合されたコンピューティングデバイスがパッド型デバイス、タブレット型コンピューティングデバイス、ネットブック型コンピュータ、およびノートブック型コンピュータのいずれか１つとして機能する、請求項１に記載のコンピューティングプラットフォーム。
【請求項１１】
前記統合されたコンピューティングデバイスの動作は、前記携帯型コンピューティングデバイスの中央演算処理装置アーキテクチャおよびインストールされたオペレーティングシステムによって決定される、請求項１０に記載のコンピューティングプラットフォーム。
【請求項１２】
前記携帯型コンピューティングデバイスが接続されていないとき、スタンドアロンの携帯型外部データ記憶装置、携帯型モニタ、およびデジタル画像プレーヤのいずれかとして動作する、請求項１に記載のコンピューティングプラットフォーム。
【請求項１３】
前記表示デバイスは、液晶ディスプレイ（ＬＣＤ）、電子インクディスプレイ（電子ペーパー）、有機発光ダイオード（ＯＬＥＤ）およびマイクロプロジェクタディスプレイからなる群より選択されるディスプレイを含む、請求項１に記載のコンピューティングプラットフォーム。
【請求項１４】
前記携帯型コンピューティングデバイスは、前記コンピューティングプラットフォームの前記表示デバイスよりも小さいディスクプレイを有する、請求項１に記載のコンピューティングプラットフォーム。
【請求項１５】
前記携帯型コンピューティングデバイスがディスプレイを有さない、請求項１に記載のコンピューティングプラットフォーム。
【請求項１６】
前記電気コネクタは、前記携帯型コンピューティングデバイスのコネクタと相互接続するピン互換性のあるコネクタを有する、請求項１に記載のコンピューティングプラットフォーム。
【請求項１７】
一端に前記コンピューティングプラットフォームの前記電気コネクタと相互接続するピン互換性のあるコネクタ、および他端に前記携帯型コンピューティングデバイスと相互接続するピン互換性のあるコネクタを有し、前記コンピューティングプラットフォームの信号規則と前記携帯型コンピューティングデバイスの信号規則を変換する内蔵型の集積回路を有する、アダプタをさらに備える、請求項１に記載のコンピューティングプラットフォーム。
【発明の詳細な説明】
【技術分野】
【０００１】
本願発明は、ダイナミックコンピュータに関し、特に、コンピューティングコアデバイス（「インテリジェントコア」）を収容することにより、接続されたインテリジェントコアに対しコンピューティング資源を提供する、新規のコンピューティングプラットフォーム（「インテリジェントプラットフォーム」）に関する。インテリジェントプラットフォームは、接続されたコンピューティングコアの中央演算処理装置（ＣＰＵ）アーキテクチャおよびロードされたオペレーティングシステムに応じて動的に、パッド型コンピューティングデバイス、タブレット型コンピューティングデバイス、ネットブック型コンピュータ、またはノートブック型コンピュータとなる。
【０００２】
［優先権情報］
本願は、ａ）発明の名称が「ＸＰＡＤ  ＴＡＢＬＥＴ」、出願日が２０１０年７月１０日である米国特許仮出願第６１／３６３，２４０号、およびｂ）発明の名称が「Ｉｎｔｅｌｌｉｇｅｎｔ  Ｐｌａｔｆｏｒｍ」、出願日が２０１１年６月２４日である米国特許出願第１３／１６８，６６６号に関し、当該出願の優先権を主張する。これらの特許出願の開示内容は、それら全体が参照により本願に組み込まれる。
【０００３】
米国を指定国とする場合、本願は、上記米国特許出願第１３／１６８，６６６号の継続出願である。
【背景技術】
【０００４】
典型的な最新のポケットサイズの携帯電話は、（例えば、幅が５インチ未満の）小型ディスプレイ、限られたバッテリー寿命および小型キーボードを有する。その結果、ディスプレイの閲覧またはデータの入力が困難なユーザ、若しくは、充電をしていない間に長時間、会話する必要があるユーザにとっては、そのような携帯電話は、上記の観点から満足出来ないものである。よくあることだが、これらの必要性がないユーザであっても、大型ディスプレイ、大型キーボードまたはより長い、充電後のバッテリー寿命を所望することがある。
【０００５】
２０１０年１月、Ａｐｐｌｅ  Ｃｏｍｐｕｔｅｒ．Ｉｎｃ．は、「ｉＰａｄ」と呼ばれるタブレット型コンピュータを発表した。「ｉＰａｄ」は基本的に、同社の携帯電話（すなわち、「ｉＰｈｏｎｅ」）のディスプレイを大型にし、キーボードを大型にし、充電後のバッテリー寿命をさらに長くしたものである。インテリジェント携帯電話の製造業者の数社は、代替的なデバイスとして様々なドックステーションを提供してきた。これらドックステーションを用いると、ユーザは、より大型の外部モニタに彼らの携帯電話を間接的に接続し、より大型のキーボードを利用できる。一例は、市販されているｉＰｈｏｎｅ  Ｓｃｒｅｅｎ  Ｅｎｌａｒｇｅｒである。ｉＰｈｏｎｅ  Ｓｃｒｅｅｎ  Ｅｎｌａｒｇｅｒによって、ｉＰｈｏｎｅユーザは、ｉＰｈｏｎｅを大型ディスプレイ画面の横に置き、その大型ディスプレイを閲覧しｉＰｈｏｎｅのタッチセンサー式画面を利用してタッチ入力しつつ、そのディスプレイ内のオブジェクトを操作することが出来る。
【発明の概要】
【発明が解決しようとする課題】
【０００６】
一方では、ｉＰａｄによるアプローチは、（ｉＰｈｏｎｅを含む）インテリジェント携帯電話がｉＰａｄに接続することが出来ず、ｉＰａｄのリソースまたはコンポーネントを共有することが出来ない、費用のかかるスタンドアロンのタブレット型デバイスを提供する。タブレット型デバイスと携帯電話との間のデータ複製または同期操作の多くは、第３のコンピュータを用いて行わなければならない。他方、ドックステーションによるアプローチでは、インテリジェント携帯電話を、「密接に」大型ディスプレイまたは大型キーボードと統合することは出来ない。さらに、外部ディスプレイおよびキーボードは、典型的には携帯型ではない。
【課題を解決するための手段】
【０００７】
本願発明は、費用効率の高いインテリジェントコアベースのタブレット型コンピュータを可能にするインテリジェントコアを提供する。一実施形態において、インテリジェントプラットフォームは、インテリジェントコアのインテリジェントプラットフォームの筐体への挿入を可能にする。このことにより、インテリジェントコアを大型ディスプレイと密接に統合することが出来、インテリジェントプラットフォームのバックアップ電力を利用することが出来る。インテリジェントプラットフォームは好ましくは、携帯型、共有可能、軽量であり、挿入されたインテリジェントコアによって動作させられる。インテリジェントコアのデータは、インテリジェントコア、ネットワークサーバまたはクラウドサーバに残り、若しくはインテリジェントコアが直接アクセス出来るインテリジェントプラットフォームの周辺機器に記憶される。この構成において、インテリジェントコアとインテリジェントプラットフォームとの間のデータの同期化は必要ではない。
【０００８】
本願発明の一実施形態によると、インテリジェントコアベースのタブレット型コンピュータは、挿入されたインテリジェントコアによって制御される。一実施形態では、インテリジェントプラットフォームの筐体には、多くのインテリジェントコアのいずれにも対応するコネクタを介してインテリジェントコアを収容出来る、コアスロットが設けられる。インテリジェントコアの挿入により形成されるデバイスは、全体として、挿入されたインテリジェントコアがインテリジェントプラットフォームの周辺機器を共有するタブレット型コンピュータである。そのような周辺機器の１つは、ユーザが直接インテリジェントコアのタッチセンサー式スクリーンを介してタブレット型コンピュータを操作する必要なく、挿入されたインテリジェントコアのデータを入力および閲覧することが出来る、大型タッチセンサー式ディスプレイパネルであってよい。またタブレット型コンピュータは、挿入されたインテリジェントコアにバックアップ電力を提供することが出来る。またタブレット型コンピュータは、挿入されたインテリジェントコアのユーザに対し大型の仮想キーボードを提供できる。
【０００９】
本願発明の一実施形態によると、タブレット型コンピュータに、インテリジェントコアから利用できるコンポーネントおよび機能を活用させることにより、高費用効率のタブレット型コンピュータを実現できる。
【００１０】
本願発明の一実施形態によると、インテリジェントプラットフォームは、インテリジェントコアを挿入するのに用いられるコアスロットを含む筐体と、タッチセンサー式グラフィックディスプレイと、バッテリーと、制御部と、コアコネクタと、外部コネクタとを有する。コアスロットは、好ましくは、挿入されたインテリジェントコアが大型タッチセンサー式ディスプレイに対するユーザの視界を遮ることがないようタッチセンサー式グラフィックディスプレイの後方に位置している。一実施形態において、コアコネクタは、挿入されたインテリジェントコアの互換性のあるコネクタと相互接続するよう、または嵌め合うよう、コアスロットの内部の特定位置に位置する。インテリジェントプラットフォームのコアコネクタは、制御部が挿入されたインテリジェントコアと直接通信できるよう、制御部に電気的に接続される。一つの方向では、制御部は、インテリジェントコアから画像データを受信し、タッチセンサー式ディスプレイに表示してよい。反対方向においては、ユーザがタッチセンサー式ディスプレイを介して入力したデータおよびコマンドが受信されると、インテリジェントコアに送信される。バッテリーは、インテリジェントプラットフォームおよび挿入されたインテリジェントコアの両方の電源として機能してよい。外部コネクタは、インテリジェントプラットフォームの制御部と、外部コンピュータ、ドックステーション、１以上の周辺機器、または電源との間のインタフェースを提供する。
【００１１】
インテリジェントコアは典型的に、ハンドセットのサイズの筐体内に搭載され、制御部が設けられる交換可能な回路基板を含む。制御部は典型的に、ＣＰＵ、グラフィックス処理装置（ＧＰＵ）およびオンボードメモリを有しており、よって典型的に、アプリケーションを実行出来、デジタル動画を再生出来る。そのようなインテリジェントコアの一例は、「スマートフォン」と一般的に呼ばれる携帯電話などである。
【００１２】
本願発明は、添付の図面に関連した詳細な説明により、よく理解することが出来る。
【図面の簡単な説明】
【００１３】
【図１】図１は、本願発明の一実施形態に係るインテリジェントプラットフォーム１０の正面図である。
【図２ａ】図２ａは、インテリジェントプラットフォーム１０の底端部から見た、インテリジェントプラットフォーム１０のコアスロット１４０を示す。
【図２ｂ】図２ｂは、インテリジェントプラットフォーム１０の底端部から見た、インテリジェントコア２００がコアスロット１４０に途中まで挿入された状態にある、インテリジェントプラットフォーム１０のコアスロット１４０を示す。
【図３】図３は、インテリジェントコア２００が挿入されたインテリジェントプラットフォーム１０の左側側面図である。
【図４】図４は、インテリジェントコア２００が途中まで挿入されたインテリジェントプラットフォーム１０の後面図である。
【図５】図５は、アダプタ３００を介してインテリジェントコア２００に接続されたインテリジェントプラットフォーム１０を示すブロック図である。
【図６】図６は、インテリジェントプラットフォーム１０がＰＤＭＩコネクタを介してインテリジェントコア２００に接続された一実施例を示すブロック図である。
【図７ａ】図７ａは、上端が開放された内蔵型コアスロットアダプタ３００−ａおよび側端が開放された内蔵型コアスロットアダプタ３００−ｂのいずれか一方と互換性のあるインテリジェントプラットフォーム筐体１００の斜視図である。
【図７ｂ】図７ｂは、インテリジェントコア２００を上端から受容するインテリジェントプラットフォーム筐体１００の斜視図である。
【図７ｃ】図７ｃは、インテリジェントコア２００を側端から受容するインテリジェントプラットフォーム筐体１００の斜視図である。
【図７ｄ】図７ｄは、交換型コアスロットアダプタ３００を有するインテリジェントプラットフォーム筐体１００の斜視図である。
【図７ｅ】図７ｅは、様々なインテリジェントコアを収容する異なる様々な交換型コアスロットアダプタを有するインテリジェントプラットフォーム筐体１００の正面図である。
【図８ａ】図８ａは、プッシュプッシュドロワ型コアスロットを備えるインテリジェントプラットフォーム筐体１００の斜視図である。
【図８ｂ】図８ｂは、スライド型タッチセンサー式ディスプレイ下方にコアスロット１４０を有するインテリジェントプラットフォーム筐体１００の斜視図である。
【図８ｃ】図８ｃは、カセットテープのドア方式の、ポップアップドア下方にコアスロット１４０を有するインテリジェントプラットフォーム筐体１００の斜視図である。
【図８ｄ】図８ｄは、インテリジェントプラットフォーム筐体１００の側端にコアスロット１４０を有するインテリジェントプラットフォーム筐体１００の斜視図である。
【図８ｅ】図８ｅは、インテリジェントコア２００を保持するインテリジェントプラットフォーム筐体１００の後面で実装される小型ポップアウトアダプタ３００の、飛び出した状態を示す後面図である。
【図８ｆ】図８ｆは、図８ｅに示す、小型ポップアウトアダプタ３００を有するインテリジェントプラットフォーム筐体１００の、インテリジェントコア２００を保持している状態を示す後面図である。
【図８ｇ】図８ｇは、図８ｆの右側斜視図である。
【図８ｈ】図８ｈは、インテリジェントプラットフォーム筐体１００の一側端に開放されたコアスロット１４０を有するインテリジェントプラットフォーム筐体１００の後面図である。
【図８ｉ】図８ｉは、インテリジェントプラットフォーム筐体１００の一角に開放されたコアスロット１４０を有するインテリジェントプラットフォーム１００の後面図である。
【図９ａ】図９ａは、インテリジェントコア２００が挿入され、パッド型デバイスを形成するインテリジェントプラットフォーム筐体１００の部分斜視図である。
【図９ｂ】図９ｂは、ハンドセットのサイズのローエンドＣＰＵ筐体２００が挿入され、タブレット型コンピュータを形成するインテリジェントプラットフォーム筐体の部分斜視図である。
【図９ｃ】図９ｃは、ハンドセットのサイズのハイエンドＣＰＵ筐体２００が挿入され、ノートブック型コンピュータを形成するインテリジェントプラットフォーム筐体１００の部分斜視図である。
【図９ｄ】図９ｄは、交換可能なインテリジェントコアに対応する、従来技術によるネットブックまたはノートブックの左側斜視図である。  説明を明確かつ簡潔にするべく、同様の要素およびコンポーネントには、異なる図面間で、同様の符号が付されている。
【発明を実施するための形態】
【００１４】
図１は、本願発明の一実施形態に係るインテリジェントプラットフォーム１０の正面図である。図１に示すように、インテリジェントプラットフォーム１０は、示されるインテリジェントコア２００のようなインテリジェントコアを収容するインテリジェントコアベースのタブレット型コンピュータである。いくるかの実施形態において、インテリジェントコア２００とインテリジェントプラットフォーム１０とは、脳と体のような関係を有する（つまり、インテリジェントコア２００は、インテリジェントプラットフォーム１０に接続されると、インテリジェントプラットフォーム１０の動作を制御する）。
【００１５】
インテリジェントプラットフォーム１０は、タッチセンサー式ディスプレイ１１０およびバッテリー１６０を含む。タッチセンサー式ディスプレイ１１０は、大型ディスプレイとして機能してよく、バッテリー１６０は、インテリジェントコア２００のバックアップ電源として機能してよい。さらに、インテリジェントプラットフォーム１０は、筐体１００、コアスロット１４０（図１に示すようにタッチセンサー式ディスプレイ１１０後方に位置する。図２ａも参照。）、制御部１５０、コアコネクタ１２０および外部コネクタ１８０を含む。上述したように、コアスロット１４０は、タッチセンサー式ディスプレイ１１０に対するユーザの視界を遮ることなくインテリジェントコア２００を収容するよう、ディスプレイ１１０の後方に位置する。（雄コネクタなどの）コアコネクタ１２０は、挿入されたインテリジェントコア２００の（雌コネクタなどの）互換性のあるコネクタと相互接続すべく、コアスロット１４０の内壁に設けられる。コアコネクタ１２０は、制御部１５０がインテリジェントコア２００と通信を行えるよう、制御部１５０に電気的に接続される。制御部１５０は、（ＵＳＢ３．０ハブ、ＵＳＢ２．０ハブ、Ｉｎｔｅｌ  Ｌｉｇｈｔ  Ｐｅａｋ光ケーブルインタフェース、または他の業界標準のバスなどの１以上の周辺機器コネクタを含んでよく、（ＡｐｐｌｅまたはＭｉｃｒｏｓｏｆｔのオペレーティングシステム、Ａｎｄｒｏｉｄ、Ｂｌａｃｋｂｅｒｒｙ  ＯＳ、Ｐａｌｍ  ＯＳ、Ｕｎｉｘ（登録商標）、Ｌｉｎｕｘ（登録商標）などの）業界標準のオペレーティングシステムを実行するマイクロプロセッサシステム、またはプロセッサの動作を制御する機械命令の群を実行するマイクロプロセッサシステムと関連付けられてよい。
【００１６】
制御部１５０は、インテリジェントコア２００から画像データを受信し、画像データをタッチセンサー式ディスプレイ１１０に表示してよい。制御部１５０は、タッチセンサー式ディスプレイ１１０のタッチパネル上でユーザが入力したタッチコマンドをインテリジェントコア２００に送信してよい。バッテリー１６０は、制御部１５０に電気的に接続されており、インテリジェントプラットフォーム１０および挿入されたインテリジェントコア２００の両方の電源として機能してよい。外部コネクタ１８０は、制御部１５０に電気的に接続されており、外部コンピュータ、ドックステーション、電源または１以上の周辺機器とのブリッジとして機能してよい。この構成の例において、インテリジェントプラットフォーム１０は、「体として機能する」デバイスと呼ぶことも出来、インテリジェントコア２００は、「脳として機能する」デバイスと呼ぶことも出来る。
【００１７】
図２ａは、インテリジェントプラットフォーム１０の底端部から見た（つまり、図１の矢印１０と反対の方向から見た）、インテリジェントプラットフォーム１０のコアスロット１４０を示す。コアコネクタ１２０は、コアスロット１４０の奥側の内壁に位置する。コアコネクタ１２０は、回路基板に設けられる制御部１５０に電気的に接続される。制御部１５０は、インテリジェントプラットフォーム１０と、（コアコネクタ１２０で接続された）インテリジェントコア２００との間のデータの交換、およびインテリジェントプラットフォーム１０と、外部コネクタ１８０で接続された任意の外部コンピュータまたはデバイスとの間のデータの交換を制御する。制御部１５０は、インテリジェントプラットフォーム１０に搭載される他のコンポーネントの動作を調整する。インテリジェントプラットフォーム１０は、（マイク、１以上のスピーカ、ウェブカム、ＵＳＢハブなどの）内蔵の周辺機器を一式有する。インテリジェントコア２００に搭載されるマイクおよびスピーカの位置によっては、音声コマンドおよび音声出力を直接インテリジェントコア２００に誘導し、およびそれらから誘導することにより音声品質を向上させる任意選択可能なサウンドパイプ１３０が設けられてよい。例えば、インテリジェントコア２００がインテリジェントプラットフォーム１０に挿入された時にインテリジェントコア２００に搭載されるマイクおよびスピーカの位置が、コアコネクタ１２０に面する側端にある場合、サウンドパイプ１３０は、閉じられた空間にあるスピーカから音声を誘導すべく、或いは外部からマイクへ音声を誘導すべく、その側端に設けられてもよい。代替的に、インテリジェントプラットフォーム１０は、インテリジェントコア２００のマイクまたはスピーカの代わりになるマイクおよび１以上のスピーカを備えてもよい。いくつかの実施形態において、マイクは、インテリジェントコア２００に対する音声コマンドを受け付けてもよい。
【００１８】
図２ｂは、図２ａと同じ方向から見た、インテリジェントコア２００がインテリジェントプラットフォーム１０に途中まで挿入された状態にある、コアスロット１４０を示す。インテリジェントコア２００のプラットフォームコネクタ２２０がコアコネクタ１２０と機械的に嵌め合い、かつ電気的に接続されるよう、インテリジェントコア２００がコアスロット１４０に挿入される。この構成において、制御部１５０はインテリジェントコア２００と通信して解像度に関する情報を交換し、インテリジェントプラットフォーム１０の大型タッチセンサー式ディスプレイ１１０へ画像を送信するようインテリジェントコア２００に対し指示する。同時に制御部１５０は、タッチセンサー式ディスプレイ１１０のタッチパネルを起動し、ユーザが入力する、タッチセンサー式ディスプレイ１１０のタッチパネルからのタッチ入力信号として送信されるコマンドを受信する（ここで「コマンド」には、マルチポイントコンタクトおよびジェスチャなど、タッチパネルに入力されるあらゆるデータ表示を含む）。さらに、インテリジェントプラットフォーム１０に機械式ボタンが設けられている場合、ユーザの入力コマンドは、このボタンの操作によって受け付けられてもよい。制御部１５０は、入力された信号または受け付けたコマンドをインテリジェントコア２００に送信する。制御部１５０は、タッチセンサー式ディスプレイ１１０上の画像を繰り返し更新し、受け付けたコマンドを含む制御信号およびデータ信号を、インテリジェントコア２００との間で受け渡しする。
【００１９】
コアコネクタ１２０は、特定の製造業者またはメーカが製造するインテリジェントコアのプラットフォームコネクタ２２０に対応するよう設計された、いかなる専用のコネクタであってもよい。代替的に、コアコネクタ１２０は、異なる様々な製造業者またはメーカの製造による異なる様々なインテリジェントコアと嵌め合うアダプタが設けられた汎用のコネクタであってもよい。この場合、ユーザは、多くの異なる製造業者／メーカの製造によるインテリジェントコアを有するインテリジェントプラットフォーム１０を利用してもよい。異なる様々な信号規則を、インテリジェントプラットフォーム１０が採用する信号規則へと変換する、プロトコル変換回路を含む小型の回路基板をそれぞれのアダプタが含んでいてよい。
【００２０】
図３は、インテリジェントプラットフォーム１０の左側から見た（つまり、図１の外部コネクタ１８０と反対の方向から見た）、インテリジェントコア２００が挿入されたインテリジェントプラットフォーム１０の側面図である。図３に示すように、インテリジェントプラットフォーム１０は、インテリジェントコア２００のバッテリーよりも実質的に大きな蓄電容量を有するバッテリー１６０を有する。よって、バッテリー１６０は、特にユーザがインテリジェントプラットフォーム１０を待機状態にし、タッチセンサー式ディスプレイ１１０の電源をオフにした場合に、インテリジェントコア２００のバッテリー電源として機能できる。
【００２１】
図４は、インテリジェントプラットフォーム１０の後面から見た（つまり、図１と反対の方向から見た）、インテリジェントコア２００が途中まで挿入されたインテリジェントプラットフォーム１０の後面図である。図４に示すように、埋め込み型ＳＤメモリリーダ１８１、ＵＳＢコネクタ１８２および１以上の他の任意選択可能な周辺機器も設けられ、このことによって、インテリジェントコア２００は、データを追加的に記憶出来、また他の外部デバイスへ追加的にアクセスすることが出来る。
【００２２】
図５は、任意選択可能なアダプタ３００を介してインテリジェントコア２００に接続されたインテリジェントプラットフォーム１０を示すブロック図である。アダプタ３００によりユーザは、多くの異なる製造業者またはサプライヤの製造による多くのインテリジェントコアから選ばれたインテリジェントコアを有するインテリジェントプラットフォーム１０を利用することが出来る。一実施形態において、アダプタ３００は、対象である専用のコアインタフェース２２０ａを有する。異なるインテリジェントコアを利用するには、アダプタ３００と類似するがその異なるインテリジェントコアに対応する専用のコアインタフェースを含む、対応するアダプタを用いる。一実施形態において、インテリジェントコア２００は、ＡＲＭ埋め込み型マイクロプロセッサを用いる制御部２０１を有するスマートフォンである。埋め込み型マイクロプロセッサは、コマンドを実行する埋め込み型プログラムメモリを有する。さらにインテリジェントコア２００は、（ａ）データの送受信に用いられるワイヤレスモジュール２０７、（ｂ）全コンポーネントに給電する、パワージャック２０２ａおよびパワーバス２１２に接続された電源２０２、（ｃ）電力管理部２０８によって管理されるバッテリー２０４、（ｄ）データ記憶システム２０３、（ｅ）データポート２１３ａを制御するＵＳＢデータ制御部２１３、（ｆ）ディスプレイポート２１４ａ、ディスプレイおよびタッチパネルモジュール２１０を制御する表示制御部２１４、および（ｇ）１以上のマイクおよび１以上のスピーカを制御するオーディオモジュール２１１を有する。図５に示すように、インテリジェントプラットフォーム１０とインテリジェントコア２００との間のインタフェースは、インテリジェントコア２００側のオーディオインタフェース２２１、電力インタフェース２２２、データインタフェース２２３および動画インタフェース２２４、またインテリジェントプラットフォーム１０側の、オーディオインタフェース１２１、電力インタフェース１２２、データインタフェース１２３および動画インタフェース１２４である。
【００２３】
本願発明の他の実施形態によると、インテリジェントコア２００は、パソコンのマイクロプロセッサを含む。この場合、インテリジェントコア２００は、ハンドセットのサイズの交換可能な筐体内に回路基板を含む。回路基板は、アプリケーションを実行するＸ８６プロセッサおよびオンボードメモリを含む制御部２０１を含む（Ｘ８６プロセッサは、Ｘ８６アーキテクチャとして知られる業界標準の命令セットを実行するプロセッサである）。本実施形態において、追加的な熱管理モジュール２０６、熱モジュール２１５および熱インタフェース２２５が設けられる。図５は本実施形態も示しており、点線で追加的な素子が示されている。熱モジュール２１５は、プロセッサから生じる熱を放散すべく、ＣＰＵまたはＧＰＵに接続された１以上のヒートパイプおよび１以上のヒートシンクを含んでよい。熱管理モジュール２０６は、熱の状態をモニタリングし、インテリジェントプラットフォーム１０において、データインタフェース２２３を介し、熱の状態を管理する（インテリジェントコア２００側の熱インタフェース２２５とインテリジェントプラットフォーム１０側の熱インタフェース１２５との間の空気ダクト内に空気を吹き込む、インテリジェントプラットフォーム１０内の冷却ファンの始動を制御する、など）。図５は、よって、インテリジェントコアの少なくとも２つの実施形態を示す。実際に、本願発明によると、例えば、インテリジェントプラットフォーム１０のコアスロットアダプタ３００のコネクタにおける外部インタフェースをカスタマイズすることにより、インテリジェントプラットフォームにおいて、異なる様々なインテリジェントコアを収容することが出来る。
【００２４】
図５に示すように、インテリジェントプラットフォーム１０は、プロセシングユニットまたはプロセッサを有する制御部１０１を有する。プロセッサには、典型的に、インテリジェントコア２００内の動作を調整し、インテリジェントプラットフォーム１０の内部動作を制御するコマンドを実行する、埋め込み型プログラムメモリが設けられており。図５に示すように、インテリジェントプラットフォーム１０は、（ａ）データを送受信する任意選択可能なワイヤレスモジュール１０７、（ｂ）全コンポーネントに給電する、パワージャック１０２ａおよびパワーバス１１２に接続された電源１０２、（ｃ）インテリジェントコア２００にバックアップ電力を提供するバッテリー１０４、（ｄ）データ記憶装置１０３、（ｅ）データポート１１３ａを制御するＵＳＢデータ制御部１１３、（ｆ）ディスプレイポートおよび（ある場合には）その表示を制御する表示制御部１１４、（ｇ）タッチパネルモジュール１１０、（ｈ）マイクおよびスピーカを制御するオーディオモジュール１１１も含む。上述したように、インテリジェントプラットフォーム１０は、オーディオインタフェース１２１、電力インタフェース１２２、データインタフェース１２３および動画インタフェース１２４を介し、インテリジェントコア２００と接続する。他のインテリジェントコア２００がＸ８６プロセッサを含む実施形態において、追加的な熱モジュール１１５および熱インタフェース１２５が設けられる。熱モジュール１１５は、インテリジェントプラットフォーム１０から熱インタフェース１２５内の空気ダクトを通じて空気を送る冷却ファンを含み、熱管理部２０６の制御のもと、熱モジュール２１５のヒートシンクから熱を放散させる。
【００２５】
図５に示すように、任意選択可能なコアスロットアダプタ３００は、インテリジェントプラットフォーム１０のユニバーサルの汎用雄コアコネクタ１２０と機械的に嵌め合い、かつ電気的に接続する雌コネクタを、デバイスインタフェース１２０ａにおいて含む。また任意選択可能なコアスロットアダプタ３００は、雌プラットフォームコネクタ２２０と機械的に嵌め合い、かつ電気的に接続する雄コネクタをコアインタフェース２２０ａにおいて含む（図２ｂに示すような、特定の製造業者またはメーカの製造によるインテリジェントコア２００によって提供されるインタフェース信号に対応するよう設計された専用のコネクタなど）。任意選択可能なコアスロットアダプタ３００は、異なる様々な製造業者またはメーカの製造による多くのインテリジェントコアから選ばれたインテリジェントコアによる、プラットフォームコネクタ２２０からの信号、およびコアコネクタ１２０からの信号をブリッジ接続し変換する。一実施形態において、コアスロットアダプタ３００は、異なる様々な信号規則を、インテリジェントプラットフォーム１０のコアコネクタ１２０に採用される信号規則へと変換するプロトコル変換回路を有する小型の回路基板を含む。コアスロットアダプタ３００がない場合、インテリジェントコア２００は、コアスロット１４０に直接挿入されてよい。この場合、インテリジェントコア２００の専用の「雌」プラットフォームコネクタ２２０は、インテリジェントプラットフォーム１０の（専用の雄コネクタを設けられた、コアスロット１４０の内壁に設けられる）コアコネクタ１２０に、機械的に嵌め合い、かつ電気的に接続することが出来る。
【００２６】
一実施形態において、制御部１０１は、インテリジェントコア２００とインテリジェントプラットフォーム１０との間で、オーディオ／動画（Ａ／Ｖ）データおよび非Ａ／Ｖデータの両方を受け渡しする。図５に示すように、インテリジェントプラットフォーム１０のコアコネクタ１２０およびインテリジェントコア２００のプラットフォームコネクタ２２０は、Ａ／Ｖデータ信号および非Ａ／Ｖデータ信号の両方を含む一体化されたインタフェースである。一実施形態において、所望される場合、インテリジェントプラットフォーム１０およびインテリジェントコア２００の両方により、一方のデバイスが、他方のデバイスを制御することが可能となる。一実施形態において、インタフェースは、業界標準であるかまたは予め定められた、電気的インタフェースに用いられる対応するマルチピンレセプタクルを用いる（Ｄｉｓｐｌａｙ  Ｐｏｒｔ、ＵＳＢ、レガシーオーディオ用のアナログステレオライン出力端子、ＨＤＭＩ、インテリジェントコア２００およびインテリジェントプラットフォーム１０からの電力ラインなど）。動作の間、制御部１０１は、インテリジェントコア２００と通信し、Ａ／Ｖ信号の解像度情報などを取得する。制御部１０１は、インテリジェントコア２００から画像データを受信し、その画像データを（ＨＤＭＩなど）Ａ／Ｖインタフェースを介し、タッチセンサー式ディスプレイ１１０に表示する。同時に、制御部１０１は、タッチセンサー式ディスプレイ１１０のタッチパネルを起動させ、ユーザが入力したコマンドを受け付ける。受け付けたコマンドは、タッチセンサー式ディスプレイ１１０上のタッチパネルからタッチ入力信号として、（ＵＳＢなど）データインタフェースを介し、インテリジェントコア２００へ送信される。制御部１０１は、タッチセンサー式ディスプレイ１１０上に表示する、インテリジェントコア２００から送信される画像データの更新を繰り返す。さらに、制御部１０１は、メモリ、大容量記憶装置、画像／動画キャプチャデバイス、ヒューマン・インターフェース、有線／無線ネットワーク、ヘッドフォン、マイク、スピーカなどの１以上の周辺機器に結合され、インテリジェントプラットフォーム１０内のデータおよび動作を制御および調整し、インテリジェントコア２００とデータを受け渡す。
【００２７】
一実施形態において、図５に破線で示すコンポーネントは任意選択可能である。インテリジェントコア２００の任意選択可能なコンポーネントは、接続されたインテリジェントプラットフォーム１０の対応するコンポーネントの代替となるか、またはこれらを補足することが出来る。同様に、インテリジェントプラットフォーム１０の任意選択可能なコンポーネントは、データポート１１３ａまたはディスプレイポート１１４ａを介して接続された外部周辺機器の対応するコンポーネントの代替となるか、またはこれらを補足することが出来る。
【００２８】
図６は、Ｐｏｒｔａｂｌｅ  Ｄｉｇｉｔａｌ  Ｍｅｄｉａ  Ｉｎｔｅｒｆａｃｅ（ＰＤＭＩ）を介してインテリジェントコア２００に接続されたインテリジェントプラットフォーム１０を示すブロック図である。ＰＤＭＩは、携帯型メディアプレーヤを対象とした相互接続規格である（ＡＮＳＩ／ＣＥＡ−２０１７。２０１０年２月にＣｏｎｓｕｍｅｒ  Ｅｌｅｃｔｒｏｎｉｃｓ  Ａｓｓｏｃｉａｔｉｏｎ（ＣＥＡ）によって開発されたＣｏｍｍｏｎ  Ｉｎｔｅｒｃｏｎｎｅｃｔｉｏｎ  ｆｏｒ  Ｐｏｒｔａｂｌｅ  Ｍｅｄｉａ  Ｐｌａｙｅｒｓ規格）。ＰＤＭＩにより、インテリジェントコア２００は、インテリジェントプラットフォーム１０の周辺機器にアクセスすることが出来る。一実施形態において、インテリジェントプラットフォーム１０は、コマンド実行および周辺機器の調整に用いられる単純なプロセッサを用いる制御部１０１を有する。図６に示すように、インテリジェントプラットフォーム１０は、（ａ）全コンポーネントに給電する、パワージャック１０２ａに接続された電源１０２、（ｂ）ＵＳＢデータ記憶装置１０３、（ｃ）データポート１１３ａを制御するＵＳＢハブ１１３、および（ｄ）ディスプレイポート１１４ａを制御する表示制御部１１４を含む。雄ＰＤＭＩコネクタにおいて、インテリジェントプラットフォーム１０は、電力インタフェース１２２、ＵＳＢデータインタフェース１２３およびＤｉｓｐｌａｙ  Ｐｏｒｔ動画インタフェース１２４を有する。
【００２９】
図６において、脳として機能する対応するデバイスであるインテリジェントコア２００は、ハンドセットのサイズの交換可能な筐体内に回路基板を含んだ「ＰＣ」アークテクチャに基づいてよい。回路基板は、例えば、アプリケーションプログラムを実行するローエンドのＸ８６プロセッサおよびメモリを用いる制御部２０１を含む。（Ｉｎｔｅｌ  Ａｔｏｍプロセッサなど）ローエンドのＸ８６プロセッサは熱管理を要しない。この場合、インテリジェントコア２００は、（ａ）全コンポーネントに配電するパワーバス、（ｂ）ＵＳＢデータ制御部２１３および（ｃ）表示制御部２１４を有する。雌ＰＤＭＩコネクタにおいて、インテリジェントコア２００は、（ａ）電力インタフェース２２２、（ｂ）ＵＳＢデータインタフェース２２３および（ｃ）Ｄｉｓｐｌａｙ  Ｐｏｒｔ動画インタフェース２２４を含む。インテリジェントコア２００とインテリジェントプラットフォーム１０とがコアスロット１４０においてＰＤＭＩコネクタを介し接続されると直ぐに、インテリジェントプラットフォーム１０は、インテリジェントコア２００に対し給電する。その後インテリジェントコア２００はオペレーティングシステムを起動させ、接続されたネットワークサーバ、クラウドサーバ、またはデータ記憶装置１０３から、データ制御部２１３、データインタフェース２２３、データインタフェース１２３およびデータハブ１１３を介し、アプリケーションプログラムおよびデータを読み込む。インテリジェントコア２００は、ディスプレイポート１１４ａに接続された外部モニタに、表示制御部２１４、ディスプレイインタフェース２２４、ディスプレイインタフェース１２４および表示制御部１１４を介し動画データを送る。ユーザは、データポート１１３ａに接続された外部キーボードまたはマウスを用いてインテリジェントプラットフォーム１０およびインテリジェントコア２００を操作出来る。データポート１１３ａは、ユーザのコマンドを、データハブ１１３、データインタフェース１２３、データインタフェース２２３およびデータ制御部２１３を介し、制御部２０１に送信する。
【００３０】
上述したように、インテリジェントプラットフォーム１０とインテリジェントコア２００とは併せて、インテリジェントコア２００の処理能力に応じて動的に、パッド型デバイス、タブレット型コンピュータまたはノート型コンピュータのいずれかとなる。さらに、インテリジェントプラットフォーム１０によると、ユーザは、単にインテリジェントコアを異なるインテリジェントコアで置き換えるだけで、インテリジェントプラットフォーム１０の既存の周辺機器の機能を維持したまま、インテリジェントプラットフォーム１０の処理能力をアップグレードさせることが出来る。代替的にユーザは、処理能力のそれぞれ異なるインテリジェントコアを入れ替えることにより、高性能のゲームアプリケーションまたは（ウェブブラウザアプリケーションなど）エネルギーをあまり要さないアプリケーションを実行することが出来る。
【００３１】
図７ａ〜７ｅは、図５に関連して説明した方法でインテリジェントコア２００とインテリジェントプラットフォーム１０とをブリッジ接続するコアスロットアダプタ３００およびユニバーサルなコアコネクタ１２０の利用をさらに示す。詳細には、図７ａは、上端が開放された内蔵型コアスロットアダプタ３００−ａおよび側端が開放された内蔵型コアスロットアダプタ３００−ｂのいずれか一方と互換性のあるインテリジェントプラットフォーム筐体１００の斜視図である。図７ｂは、インテリジェントコア２００を上端から受容するインテリジェントプラットフォーム筐体１００の斜視図である。図７ｃは、インテリジェントコア２００を側端から受容するインテリジェントプラットフォーム筐体１００の斜視図である。図７ｄは、交換型コアスロットアダプタ３００を有するインテリジェントプラットフォーム筐体１００の斜視図である。図７ｅは、様々なインテリジェントコアを収容する異なる様々な交換型コアスロットアダプタを有するインテリジェントプラットフォーム筐体１００の正面図である。
【００３２】
図７ｅにおいてインテリジェントコア２００ａと示す一実施形態は、専用のプラットフォームコネクタ２２０を有する。本実施形態において、コアスロットアダプタ３００は、一端がインテリジェントコア２００ａの専用のプラットフォームコネクタ２２０に接続され、他端が汎用のコアコネクタ１２０に接続される。図５に示すように、コアスロットアダプタ３００は、インテリジェントコア２００ａとインテリジェントプラットフォーム１０との間の異なる様々な信号規則を変換するプロトコル変換回路を有する小型の回路基板を含む。図７ｅにおいてインテリジェントコア２００ｂと示す他の実施形態は、（ＨＤＭＩディスプレイおよびＵＳＢインタフェースなどの）複数の専用プラットフォームコネクタ２２０を有する。コアスロットアダプタ３００は、一端がインテリジェントコア２００ｂの専用のプラットフォームコネクタ２２０に接続され、他端が汎用のコアコネクタ１２０に接続される。図５に示すように、コアスロットアダプタ３００は、コアコネクタ１２０がＰＤＭＩコネクタである場合、ＨＤＭＩ信号をＤｉｓｐｌａｙ  Ｐｏｒｔ信号に変換するプロトコル変換回路を有する小型の回路基板を含んでよい。図７ｅにおいてインテリジェントコア２００ｃと示すさらに他の実施形態において、インテリジェントコア２００およびインテリジェントプラットフォーム１０は、互いに対応する（図６のＰＤＭＩコネクタなどの）雄および雌コネクタ１２０を用いる。この場合、コアスロットアダプタ３００は必須ではない。図７ｅにおいてインテリジェントコア２００ｄと示すさらに他の実施形態において、インテリジェントコア２００ｄおよびインテリジェントプラットフォーム１０は、互いに対応する雄および雌コネクタを用いるが、コンポーネントインタフェースは一体化されていない（例えば、１以上のＤｉｓｐｌａｙ  Ｐｏｒｔコネクタ、ＨＤＭＩコネクタ、ＵＳＢコネクタ、オーディオコネクタ、および電力コネクタが用いられる）。この場合であっても、コアスロットアダプタ３００は必須ではない。
【００３３】
図８ａ〜８ｉは、インテリジェントコア２００を収容するインテリジェントプラットフォーム筐体１００内のコアスロット１４０を実装し、図５に示す様々な構成を実現する様々な実施形態をさらに示す。
【００３４】
図８ａは、プッシュプッシュドロワ型コアスロット１４０を備えるインテリジェントプラットフォーム筐体１００の斜視図である。一実施形態において、コアスロット１４０はプッシュプッシュドロワとして実装される。ドロワは、ノートブック型コンピュータのＤＶＤ／ＣＤトレイと同様に押すことによって引き出すことが出来、引き出されたドロワによってインテリジェントコア２００は受容され、接続される。その後ユーザはドロワを元の閉鎖位置へ押し戻す。
【００３５】
図８ｂは、スライド型タッチセンサー式ディスプレイ１１０下方にコアスロット１４０を有するインテリジェントプラットフォーム筐体１００の斜視図である。一実施形態において、ユーザは、ディスプレイ１１０をスライドさせ、コアスロット１４０を外部に曝す。これによりインテリジェントコア２００をコアスロット１４０に載置し、コアコネクタ１２０と係合させ、接続させることが出来る。その後ディスプレイ１１０は、元の閉鎖位置へとスライドされる。
【００３６】
図８ｃは、カセットテープのドア方式の、ポップアップドア下方にコアスロット１４０を有するインテリジェントプラットフォーム筐体１００の斜視図である。一実施形態において、コアスロット１４０は、インテリジェントプラットフォーム筐体１００のポップアップドア下方に設けられる。ユーザは、ドアを押すことにより開けられ、インテリジェントコア２００をコアスロット１４０に載置し、コアコネクタ１２０に係合させ、接続することが出来る。その後ドアは、元の閉鎖位置へと再び押し下げられる。
【００３７】
図８ｄは、インテリジェントプラットフォーム筐体１００の側端にコアスロット１４０を有するインテリジェントプラットフォーム筐体１００の斜視図である。一実施形態において、コアスロット１４０は、インテリジェントプラットフォーム筐体１００の側端に設けられる。ユーザは、コアスロット１４０の壁部にある雄コネクタがインテリジェントコア２００の雌コネクタと係合するまで、インテリジェントコア２００をコアスロット１４０に挿入する。
【００３８】
図８ｅは、インテリジェントコア２００を保持するインテリジェントプラットフォーム筐体１００の後面で実装される小型ポップアウトアダプタ３００の、飛び出した状態を示す後面図である。図８ｆは、図８ｅに示す、小型ポップアウトアダプタ３００を有するインテリジェントプラットフォーム筐体１００の、インテリジェントコア２００を保持している状態を示す後面図である。図８ｇは、図８ｆの右側斜視図である。図８ｅ〜８ｆに示すインテリジェントプラットフォーム筐体１００の構成は、特に、スペースを節約する設計である。
【００３９】
図８ｈは、インテリジェントプラットフォーム筐体１００の一側端に開放されたコアスロット１４０を有するインテリジェントプラットフォーム筐体１００の後面図である。一実施形態において、ユーザは、インテリジェントコア２００をコアスロット１４０上に載置し、コアコネクタ１２０と係合させ、接続できる。
【００４０】
図８ｉは、インテリジェントプラットフォーム筐体１００の一角に開放されたコアスロット１４０を有するインテリジェントプラットフォーム１００の後面図である。一実施形態において、ユーザは、インテリジェントコア２００をコアスロット１４０上に載置し、コアコネクタ１２０と係合させ、接続できる。
【００４１】
図９ａは、インテリジェントコア２００が挿入され、パッド型デバイスを形成するインテリジェントプラットフォーム筐体１００の部分斜視図である。一実施形態において、インテリジェントコア２００は、ＡＲＭ埋め込み型マイクロプロセッサを有する「スマートフォン」型のデバイスである。インテリジェントコア２００が挿入されると、インテリジェントコア２００とインテリジェントプラットフォーム１０とによって、パッド型デバイスが形成される。インテリジェントコア２００は、「脳として機能する」デバイスとなる。この場合、インテリジェントコア２００は、例えばインテリジェントコア２００がＧｏｏｇｌｅのＡｎｄｒｏｉｄ  Ｏｐｅｒａｔｉｎｇ  Ｓｙｓｔｅｍを有する場合、インテリジェントプラットフォーム１０のコンポーネントを動作させ、Ａｎｄｒｏｉｄベースのパッド型デバイスを実装する。ユーザは、インテリジェントコア２００を引き出すことにより、接続を切断出来る。
【００４２】
図９ｂは、ハンドセットのサイズのローエンドＣＰＵ筐体２００が挿入され、タブレット型コンピュータを形成するインテリジェントプラットフォーム筐体の部分斜視図である。一実施形態において、インテリジェントコア２００は、（図６に示すＰＤＭＩなど）標準的なコネクタを用いてスマートフォンサイズの筐体内に実装される、（Ｉｎｔｅｌ  Ａｔｏｍ  ＣＰＵなど）ローエンドＣＰＵ回路基板である。インテリジェントコア２００は、インストールされるオペレーティングシステムに応じて動的に、インテリジェントプラットフォーム１０を動作させ、Ｗｉｎｄｏｗｓ（登録商標）ＯＳがインストールされている場合、Ｗｉｎｄｏｗｓ（登録商標）タブレット型デバイスを形成し、Ｇｏｏｇｌｅ  Ｃｈｒｏｍｅ  ＯＳがインストールされている場合、Ｃｈｒｏｍｅ  Ｔａｂｌｅｔを形成する。本実施形態により、ユーザは、様々なベンダーから入手できる異なる様々なタイプのローエンドＣＰＵをフレキシブルに選択することが可能となり、異なる様々なタブレット型コンピュータを形成することが出来る。他の実施形態において、ローエンドＣＰＵ筐体には、熱を放散させる空気穴２０５（図９ｂ）が設けられてよい。
【００４３】
図９ｃは、ハンドセットのサイズのハイエンドＣＰＵ筐体２００が挿入され、ノートブック型コンピュータを形成するインテリジェントプラットフォーム筐体１００の部分斜視図である。一実施形態において、インテリジェントコア２００は、図９ａに関連して上述したような、標準的なコネクタを用いて「スマートフォン」サイズの筐体内に実装される、（Ｉｎｔｅｌの「Ｓａｎｄｙ  Ｂｒｉｄｇｅ」ＣＰＵなど）ハイエンドＣＰＵ回路基板である。外部のキーボードおよびスタンドとなるケースを併せて用いることによって、インテリジェントプラットフォーム１０は、動的に、ハイエンドのノートブックになり得る。インテリジェントコア２００は、インストールされるオペレーティングシステムのタイプに応じて動的に、インテリジェントプラットフォーム１０を動作させ、Ｗｉｎｄｏｗｓ（登録商標）ＯＳがインストールされている場合であれば、Ｗｉｎｄｏｗｓ（登録商標）のノートブックを形成することが出来る。他の実施形態において、ハイエンドＣＰＵを冷却するべく、熱を放散させる空気穴２０５が設けられる。ヒートパイプおよび１以上のヒートシンクが、ＣＰＵ／ＧＰＵに接続されてもよい。他の実施形態において、ＣＰＵ冷却ファンがインテリジェントプラットフォーム１０に搭載される。冷却ファンは、図５に関連して上述したように、１以上の空気ダクトを通じてインテリジェントコア２００に冷却された空気を送り込む。システムは、（Ａｎｄｒｏｉｄ  ＯＳおよびＷｉｎｄｏｗｓ（登録商標）ＯＳなど）複数のオペレーティングシステムをインストールされていてもよい。この場合ユーザは、電源を入れたときに、どのオペレーティングシステムで起動させるか選択するよう指示され、システムのエネルギーを節約すべく、軽い方のオペレーティングシステムを選択することも可能となる。
【００４４】
図９ｄは、交換可能なインテリジェントコア２００に対応する、既存のネットブックまたはノートブック１０の左側斜視図である。一実施形態において、ネットブックまたはノートブックを変形させ、その筐体を、交換可能なインテリジェントコアに対応可能とすることも出来る。そのような修正によって、異なる様々なＣＰＵの筐体が、インテリジェントプラットフォームに接続された周辺機器を共有し、再利用することが可能となる。このことは特に、ユーザがノートブック型コンピュータをより高性能のＣＰＵにアップグレードする際において有用である。ユーザは、既存のＣＰＵをより高性能のＣＰＵと交換でき、ノートブック型コンピュータを買い替える必要がない。そのような共有が可能となることにより、コンポーネントが重複することを避け、かつ製造コストおよびプロセスを単純化出来るだけでなく、環境にも優しいものとなり、ユーザはインテリジェントコア２００およびネットブックまたはノートブック１０の両方に（３Ｇデータ利用料金など）月々のデータ通信費を支払う必要がなくなる。
【００４５】
上記の実施形態は、体として機能するデバイスとしてインテリジェントプラットフォーム１０を例示したが、実際に本願発明は、他のデバイスによって提供される他のコアまたは「脳」に基づく、体として機能するいかなるデバイスにも適用することが可能である。例えば体として機能するデバイスは、インテリジェントプラットフォーム１０ではなく、インテリジェントコアを挿入するスロットを有するデジタルテレビ、（ＬＥＤ、ＬＣＤ、ＯＬＥＤ、電子インク、プラズマなど）大型グラフィカルディスプレイモニタ、またはプロジェクタであってもよい。同様に、上述したようなインテリジェントコアではなく、脳として機能するデバイスは、例えば、携帯型メディアプレーヤ、携帯端末、または小型モバイルコンピュータなどいかなる小型モバイルデバイスであってもよい。
【００４６】
当業者には、本明細書の詳細な説明により、本願発明の態様内で多くの修正および変形が明らかとなるであろう。よって、本願発明は単に様々な例示的な実施形態を示す上記の詳細な説明によって限定されない。
【００４７】
これまで本願発明を説明してきたが、特許状による権利の保護を所望する範囲は、以下の添付の特許請求の範囲の通りである。
【図１】
2013536613.tif 000003
【図２ａ】
2013536613.tif 000004
【図２ｂ】
2013536613.tif 000005
【図３】
2013536613.tif 000006
【図４】
2013536613.tif 000007
【図５】
2013536613.tif 000008
【図６】
2013536613.tif 000009
【図７ａ−７ｃ】
2013536613.tif 000010
【図７ｄ−７ｅ】
2013536613.tif 000011
【図８ａ】
2013536613.tif 000012
【図８ｂ】
2013536613.tif 000013
【図８ｃ】
2013536613.tif 000014
【図８ｄ】
2013536613.tif 000015
【図８ｅ】
2013536613.tif 000016
【図８ｆ】
2013536613.tif 000017
【図８ｇ】
2013536613.tif 000018
【図８ｈ】
2013536613.tif 000019
【図８ｉ】
2013536613.tif 000020
【図９ａ】
2013536613.tif 000021
【図９ｂ】
2013536613.tif 000022
【図９ｃ】
2013536613.tif 000023
【図９ｄ】
2013536613.tif 000024
【国際調査報告】
2013536613.tif 000025